(57)【特許請求の範囲】
【請求項１】
トラックパッド部を有するリモートコントロール装置の前記トラックパッド部によって検出された接触位置に対応する位置データを、前記リモートコントロール装置から受信する受信手段を有する表示装置であって、
前記表示装置を制御するために用いられる操作パネルを表示する表示手段と、
前記操作パネルに含まれる複数の操作可能な要素の全てを前記複数の操作可能な要素の配列を変えることなく前記トラックパッド部に割り当て、前記受信手段により受信された前記位置データを用いて前記操作パネルを制御する制御手段とを有し、
前記制御手段は、前記複数の操作可能な要素の全てを前記トラックパッド部に割り当てるか否かを、前記複数の操作可能な要素の数に従って判定することを特徴とする表示装置。
【請求項２】
トラックパッド部を有するリモートコントロール装置の前記トラックパッド部によって検出された接触位置に対応する位置データを、前記リモートコントロール装置から受信する受信手段を有する表示装置であって、
前記表示装置を制御するために用いられる操作パネルを表示する表示手段と、
前記操作パネルの第１の部分に含まれる複数の操作可能な要素と、スクロールエリアとを前記複数の操作可能な要素の配列を変えることなく前記トラックパッド部に割り当て、前記受信手段により受信された前記位置データを用いて前記操作パネルを制御する制御手段とを有し、
前記制御手段は、前記第１の部分に含まれる複数の操作可能な要素と、前記スクロールエリアとを前記トラックパッド部に割り当てるか否かを、前記操作パネルに含まれる複数の操作可能な要素の数に従って判定し、
前記第１の部分に含まれる複数の操作可能な要素と、前記スクロールエリアとを前記トラックパッド部に割り当てた場合、前記制御手段は、前記スクロールエリアが操作されたか否かを、前記位置データを用いて判定し、
前記スクロールエリアが操作された場合、前記制御手段は、前記操作パネルの第２の部分に含まれる複数の操作可能な要素を前記トラックパッド部に割り当てることを特徴とする表示装置。
【請求項３】
前記受信手段は、前記リモートコントロール装置の前記トラックパッド部によって検出された圧力の変化に対応する圧力データを、前記リモートコントロール装置から受信し、
前記制御手段は、前記受信手段により受信された前記圧力データを用いて前記操作パネルを制御することを特徴とする請求項１又は２に記載の表示装置。
【請求項４】
前記制御手段は、前記位置データに対応する操作可能な要素が操作されたか否かを、前記圧力データを用いて判定することを特徴とする請求項３に記載の表示装置。
【請求項５】
前記制御手段は、前記位置データに対応する操作可能な要素を検出し、検出された操作可能な要素を視覚的に変化させることを特徴とする請求項１から４のいずれか１項に記載の表示装置。
【請求項６】
前記位置データに対応する操作可能な要素が操作されたことを使用者に認識させるための認識音を出力する認識音出力手段をさらに有することを特徴とする請求項１から５のいずれか１項に記載の表示装置。
【請求項７】
前記表示装置は、ＴＶ信号を受信する表示装置であることを特徴とする請求項１から６のいずれか１項に記載の表示装置。
【請求項８】
前記表示装置は、電子番組ガイドを受信する表示装置であることを特徴とする請求項１から７のいずれか１項に記載の表示装置。
【発明の詳細な説明】
【０００１】
【発明の属する技術分野】
本発明は、トラックパッド（指でなぞって位置を入力する入力手段）を有するリモートコントロール装置により操作することができる表示装置に関する。
【０００２】
【従来技術】
従来より、ＴＶ装置等、表示器を有する電子装置で、リモートコントロール装置（以下、リモコン、またはリモコン装置と略称す）を使用して該装置の操作を行う場合、図１１に示すように、表示装置に操作パネルを表示し、図４１に示すようなリモコンで操作を行うことが広く行われている。
【０００３】
更に、最近では、ＩＥＥＥ１３９４などのネットワークでＴＶ装置、ＶＴＲ装置、ステレオ装置など各種装置を接続し、ＴＶ装置にＴＶ装置以外の前記装置の操作パネルを表示し、必ずしも装置本体に表示装置を持たない装置の操作も、ＴＶ装置のリモコンで操作を行えるシステムが提案されている。
【０００４】
上述したようなシステムにおいては、複数の装置の操作をＴＶなどの制御側の装置に付属した一つのリモコンで行う必要がある。
【０００５】
この場合、異なる機能を有する機器の操作を、統一的、且つシンプルに行う手段としては、図４１に示すようなキーの移動カーソルと実行キーを有するリモコンを使用し、上下、左右などのカーソルキーによって実行したいキーを選択し、実行キーによって選択されたキーの機能を実行するという方法が、一般的である。
【０００６】
しかし、この操作では、所望の動作を実行するまで、カーソルキーを複数回押さなければならず、時間がかかり、使い勝手が悪いものであった。
【０００７】
また、これらの問題点を解決するためのものとして、リモコン上に位置を入力できるトラックパッドを用い、これを指でなぞって所望のキーを選択するというリモコン装置もある。
【０００８】
しかしながら、上述のリモコン装置は、接続される装置（表示される操作パネル）、並びに操作方式を特定できないため、表示される操作パネルとリモコン装置のトラックパッドの形状が異なる場合、トラックパッドと操作パネルの位置関係が不明であり、またトラックパッド全面を操作パネルに割り当てると、上下、左右に指を動かした際の操作感度が異なり、或は、ＴＶチャンネル切換えのための数字キーパネルと、フルキーボードパネルを、例えば、同じサイズのトラックパッドに対応させると、指の移動に対する操作パネル上のキーの移動速度が大きく変わってしまい、特に操作キー数の多いフルキーボードでは、移動感度が高く、使いずらいものとなってしまう。
【０００９】
これら、トラックパッドを利用したリモコン操作に関する従来提案として、特開平１０−１１２８８号公報などが存在するが、これらにおいても、上述の問題点を解決するようなものではなかった。
【００１０】
本発明は、上述の事情に鑑みて成されたもので、直感的で、より使いやすい操作環境を提供することができる表示装置を提供することを目的とする。
【００１１】
【課題を解決するための手段】
本発明に係る表示装置の一つは、トラックパッド部を有するリモートコントロール装置の前記トラックパッド部によって検出された接触位置に対応する位置データを、前記リモートコントロール装置から受信する受信手段を有する表示装置であって、前記表示装置を制御するために用いられる操作パネルを表示する表示手段と、前記操作パネルに含まれる複数の操作可能な要素の全てを前記複数の操作可能な要素の配列を変えることなく前記トラックパッド部に割り当て、前記受信手段により受信された前記位置データを用いて前記操作パネルを制御する制御手段とを有し、前記制御手段は、前記複数の操作可能な要素の全てを前記トラックパッド部に割り当てるか否かを、前記複数の操作可能な要素の数に従って判定することを特徴とする。
本発明に係る表示装置の一つは、トラックパッド部を有するリモートコントロール装置の前記トラックパッド部によって検出された接触位置に対応する位置データを、前記リモートコントロール装置から受信する受信手段を有する表示装置であって、前記表示装置を制御するために用いられる操作パネルを表示する表示手段と、前記操作パネルの第１の部分に含まれる複数の操作可能な要素と、スクロールエリアとを前記複数の操作可能な要素の配列を変えることなく前記トラックパッド部に割り当て、前記受信手段により受信された前記位置データを用いて前記操作パネルを制御する制御手段とを有し、前記制御手段は、前記第１の部分に含まれる複数の操作可能な要素と、前記スクロールエリアとを前記トラックパッド部に割り当てるか否かを、前記操作パネルに含まれる複数の操作可能な要素の数に従って判定し、前記第１の部分に含まれる複数の操作可能な要素と、前記スクロールエリアとを前記トラックパッド部に割り当てた場合、前記制御手段は、前記スクロールエリアが操作されたか否かを、前記位置データを用いて判定し、前記スクロールエリアが操作された場合、前記制御手段は、前記操作パネルの第２の部分に含まれる複数の操作可能な要素を前記トラックパッド部に割り当てることを特徴とする。
【００２２】
【発明の実施の形態】
以下、本発明に係るリモートコントロール装置及び操作制御システムの実施の形態について説明する。
【００２３】
図１は、第１の実施例における操作制御システムの要部構成を示すブロック図、図２は、第１の実施例におけるＴＶ装置の構成を示すブロック図、図３は、第１の実施例におけるリモコン装置の要部構成を示すブロック図、図４は、第１の実施例におけるＶＴＲ装置の要部構成を示すブロック図、図５は、実施例におけるリモコン装置の説明図（その１）、図６は、実施例におけるリモコン装置の説明図（その２）、図７は、実施例におけるトラックパッド部の構成を示す断面模式図、図８は、実施例における操作パネルの構成を示す説明図、図９は、実施例における操作パネル−トラックパッド位置情報テーブルの説明図、図１０は、第１の実施例におけるＴＶ装置に画像と接続機器アイコンが表示された場合の説明図、図１１は、第１の実施例におけるＴＶ装置にＴＶチャンネル切換え操作パネルが表示された場合の説明図、図１２は、実施例におけるＴＶチャンネル切換え操作パネルの構成を示す説明図、図１３は、第１の実施例におけるＴＶチャンネル切換え時の操作パネルの操作状況を示す説明図、図１４は、第１の実施例におけるＴＶチャンネル切換え直後のＴＶ装置画面を示す説明図、図１５は、第１の実施例におけるＴＶ装置にＶＴＲ操作時の操作パネルが表示された場合の説明図、図１６は、第１の実施例におけるＶＴＲ操作パネルの構成を示す説明図、図１７は、第１の実施例におけるＶＴＲ操作時の操作パネルの操作状況を示す説明図（その１）、図１８は、第１の実施例におけるＶＴＲ操作時の操作パネルの操作状況を示す説明図（その２）、図１９は、第１の実施例におけるＶＴＲ操作パネルの再生ボタン操作直後のＴＶ装置画面を示す説明図、図２０は、第２の実施例における異型操作パネルと初期のトラックパッド部への割り当ての状況を示す説明図、図２１は、実施例における操作パネル制御ルーチンの動作を示すフローチャート、図２２は、第３の実施例におけるＴＶ装置にＶＴＲ操作時の操作パネルが表示された場合の説明図、図２３は、第３の実施例におけるＶＴＲ操作状況を示す説明図、図２４は、第４の実施例におけるＴＶ装置に画像と接続機器アイコンが表示された場合の説明図、図２５（ａ），（ｂ）、（ｃ）は、第４の実施例におけるＴＶチャンネル切換え操作パネルをトラックパッドのレイアウトに対応させた場合の説明図、図２６は、第４の実施例におけるＴＶ装置にキーボード操作パネルが表示された場合の説明図、図２７は、第４の実施例におけるキーボード操作パネルの構成を示す説明図、図２８（ａ），（ｂ）、（ｃ）は、第４の実施例におけるキーボード操作パネル全体をトラックパッドのレイアウトに対応させた場合の説明図、図２９（ａ），（ｂ）、（ｃ）は、第４の実施例におけるキーボード操作パネルの操作状況を示す説明図（その１）、図３０（ａ），（ｂ）、（ｃ）、（ｄ）は、第４の実施例におけるキーボード操作パネルの操作状況を示す説明図（その２）、図３１は、第４の実施例における操作パネル制御手順を示すフローチャート（操作モード切換え）、図３２は、第４の実施例における操作パネル制御手順を示すフローチャート（絶対位置モード）、図３３は、第４の実施例における操作パネル制御手順を示すフローチャート（スクロール併用モード）、図３４は、第５の実施例におけるＥＰＧデータの構成を示す説明図、図３５は、第５の実施例におけるＥＰＧの表示例を示す説明図、図３６は、第５の実施例におけるＥＰＧパネルがＴＶ装置に表示された場合の説明図、図３７は、第５の実施例におけるＥＰＧパネルの構成を示す説明図、図３８（ａ），（ｂ）は、第５の実施例におけるＥＰＧパネルの操作状況を示す説明図（その１）、図３９（ａ），（ｂ）は、第５の実施例におけるＥＰＧパネルの操作状況を示す説明図（その２）、図４０（ａ），（ｂ）は、第５の実施例におけるＥＰＧパネルの操作状況を示す説明図（その３）、図４１は、従来例におけるリモコン装置の説明図である。
【００２４】
（第１の実施例）
以下、図面を参照して本発明に係る第１の実施例について説明する。
【００２５】
図１は、第１の実施例における操作制御システム全体を表すブロック図である。
【００２６】
１は、ＴＶ装置であって、ＴＶ放送の受信、リモコンの送受信、ネットワークに接続された機器とのデータの送受信、機器の制御などを行い、これらを通して得たＴＶ画像データ、機器画像データ、各種アイコンデータ、制御情報等を表示する。
【００２７】
２は、リモコン装置であって、ＴＶの視聴者が、前記ＴＶ装置１、ＶＴＲ装置３などを制御、操作するのに使用されるものであり、３は、ビデオレコーダＶＴＲであって、ＴＶ、その他画像、音声データの録画、再生を行う。
【００２８】
また該ＶＴＲ動作のための機器情報データ等も記録、読み出しもできるものであり、該データは、該ＶＴＲ装置３内部のＴＶ受信部、並びに、後述のネットッワークｓ１を通じて入出力できる。
【００２９】
このネットワークｓ１は、前記ＴＶ装置１、ＶＴＲ装置３などを接続し、データの送受信を行うもので、本実施例においては、ＩＥＥＥ１３９４規格に準じたものが使用される。
【００３０】
ｓ２は電話回線であって、前記ＴＶ装置１を通して、外部への接続を行うものである。
【００３１】
図２は、前記ＴＶ装置１の構成を説明するブロック図である。
【００３２】
４は、アンテナ装置であって、外部より、ＴＶ電波を受信し高周波電気信号に変換し、チューナ部１０１へと導く。
【００３３】
このチューナ部１０１は、前記アンテナ装置４よりの高周波ＴＶ信号を増幅、希望局の選局、搬送波により変調されている高周波ＴＶ信号を復調し、デジタルのストリーム（以下、ＴＳ（Transport Stream）と略）データに変換する役割を有する。
【００３４】
１０２は、デコーダ部であって、前記チューナ部１０１より得られた前記ＴＳ信号より希望する番組ＴＳデータの選択、課金情報（以下、ＣＡと略）データ、電子番組ガイド（以下ＥＰＧと略）データ等の付加データの分離、デコードを行い、音声データは、音声制御部１０５へ、画像データは画像制御部１０３へ、又その他のデータは必要に応じて、バスｓ３へ出力される。
【００３５】
デコーダ部１０２は、前記チューナ部１０１より出力されるビデオ信号を入力し、輝度信号、色信号、音声信号、データ部を分離、デジタル化され、輝度信号と色信号は画像制御部１０３へ、音声信号は、音声制御部１０５へ、データ部は、バスｓ３ヘ、それぞれ出力される。
【００３６】
画像制御部１０３は、デコーダ部１０２よりの画像データと、又、バスｓ３を通して選ばれる画像データを、後述のシステム制御部よりの制御によって切換え、あるいは合成し、デジタルＲＧＢ画像データと、水平、垂直同期信号として、表示器１０４へ出力する。
【００３７】
表示器１０４は、前記画像制御部１０３よりＲＧＢ画像データと、水平、垂直同期信号を入力し、表示する。本実施例に係る表示装置は、垂直解像度１０８０本、水平解像度１９２０本以上を表示できる高解像度のドットマトリクス・ディスプレイである。
【００３８】
音声制御部１０５は、デコーダ部１０２、及び、内部バスｓ３よりの音声データを、切り替え、あるいは合成、又、音量、音質、臨場感などを制御し、後述の音声出力部１０６へ出力する。
【００３９】
音声出力部１０６は、前記音声制御部１０５より入力された音声信号をＤ／Ａ変換、アナログ信号に変換した後、増幅し、スピーカより音声を出力する。
【００４０】
１０７は、１３９４Ｉ／Ｆ部であって、ＩＥＥＥ１３９４として規格化されている、高速シリアルＩ／Ｆの制御、管理を行い、バスｓ１を通して、ＴＶ装置１とＶＴＲ装置３間でデータの送受信を行う。
【００４１】
１０８は、モデム部であって、ＴＶ装置１が電話回線ｓ２を通して外部とデータのやり取りをするために使用される。例えば、有料放送の視聴の課金のための管理サーバヘ視聴情報の送信、インターネット接続のためプロバイダヘの接続などに使用される。
【００４２】
１０９は、リモコン受信部であって、ＴＶ視聴者が操作し送信されるリモコンデータを受信し、該データをシステム制御部１１０へ転送する。
【００４３】
システム制御部１１０は、バスｓ３に接続されているＴＶ装置１内各部を統括的に制御する。
【００４４】
まず、ＴＶ受信においては、前述したアンテナ部４、チューナ部１０１、デコーダ部１０２の制御を行い、チャンネル切換え、課金制御、ＥＰＧデータよりの制御などを行う。
【００４５】
又、画像制御部１０３を制御し、デコーダ部１０２よりのデータ、ＶＴＲ装置３等の画像と、アイコン、各種情報表示等の表示制御を行う。
【００４６】
同様に、音声制御部１０５を制御し、音声の合成、出力制御を行う。
【００４７】
又、１３９４Ｉ／Ｆ部１０７を制御し、ネットワークｓ１を通して、該ネットワークｓ１に接続されたＶＴＲ装置３を制御し、データの送受信を行う。
【００４８】
システム制御部１１０におけるこれらの制御は、ＴＶ装置１内部の状況、１３９４Ｉ／Ｆ１０７よりの情報、モデム部１０８よりの情報に応じて行われると同時に、前記リモコン受信部１０９よりの送信されたキーコードデータを解析し、それに応じた各部の制御も行われる。
【００４９】
また、リモコン受信部１０９より受信したトラックパッドの位置情報データ、押下圧情報データより、操作パネルを移動、ポインティングするために触れているのか、ポインティング位置を押して、実行しようとしているかなどを判断し、それに応じた各部の制御も行う。
【００５０】
ｓ３は、内部Ｂｕｓであって、データ、並びに制御Ｂｕｓであり、前述したように、画像、音声データの転送、各部情報の転送に使用されるＴＶ装置１内のバスである。
【００５１】
メモリ部１１１は、前述のＥＰＧデータ等のデジタルＴＶ放送付加データ、前記装置操作のための操作パネルデータ、本ＴＶ装置１内で生成される制御情報、又１３９４Ｉ／Ｆ部１０７、モデム部１０８を通して入力される各種情報を、内部バスｓ３を通して入力し、一時格納しておくバッファメモリである。
【００５２】
図３は、リモコン装置の要部構成を示すブロック図、図５はその外形図である。
【００５３】
図３の２０１は、キーボタン部であり、リモコン使用者は、該キーボタン部２０１を押下して、所望の動作を行わせるためのものである。
【００５４】
図５において、図中左上の電源キーは、装置の電源ＯＮ／ＯＦＦを行う。その右のＴＶ、ＢＳ、ＣＳ、ＶＴＲキーは、入力のソースの操作メニューを表示させるためのものである。ＶＴＲキーは、ＴＶ装置１に接続されていなければ、警告メッセージ等を表示する。その下のメニューキーは、ＴＶ装置１の各種設定、操作のメニュー画面を表示させるためのものであり、その下のカーソルキー、実行キー、取り消しキーによって、該メニュー画面より設定、変更を行うものである。
【００５５】
２０２は、トラックパッド部であり、図５の最下部のような長方形の形状をしており、ここを指などで触れ移動させるか、または強く押すことで、ＴＶ装置１等の操作を行う。
【００５６】
このトラックパッド部２０２は、図６のように、圧力で抵抗値、静電容量が変化する感圧素子を、Ｘ，Ｙ９０度向きが異なるＸ，Ｙ電極で格子状に挟み、上部にカバーシートで覆ったような構造になっており、リモコン制御部２０４によって、前記Ｘ，Ｙ電極をスキャンし、電圧の変化を検出し、その値と、触れている位置の検出を行う。
【００５７】
２０３は、データ送受信部であって、前記キーデータ、トラックパッド部位置データを前述のＴＶ装置１内の、リモコン受信部１０９へ送信等を行う。
【００５８】
２０５は、制御部であって、キーボタン部２０１の走査を行い、押下されたキーの検出、該検出されたキーに基づく、キーコードのエンコード、該キーコードのＴＶ装置１への送信、response等の受信を行う。
【００５９】
又、前述したように、トラックパッド部２０２の操作を行い、押下されているかどうか、又、押下圧力の変化があるかどうかを検出し、その位置情報と、押下圧情報を、データ送受信部２０３を通して、出力する。
【００６０】
図４は、１３９４Ｉ／Ｆ部を有するデジタルテープレコーダ（以下ＶＴＲと略）の要部構成を示すブロック図である。
【００６１】
３０１は、ビデオカムコーダ等のＶＴＲ部であって、ビデオのテープ走行系機構部、該機構制御部、ビデオ信号の変復調部、各種変換部などからなり、後述のＶＴＲ制御部３０５により制御される。
【００６２】
３０２は、１３９４Ｉ／Ｆ部であり、前述した１３９４Ｉ／Ｆ部１０７と同様のもので、バスｓ１と、ＶＴＲ装置３内のデータの送受信を制御する。
【００６３】
３０３は、Ｃｏｎｆｉｇｕｒａｔｉｏｎ  ＲＯＭ部であって、該ＶＴＲ機器の装置のメーカ名、機器名、型名、製造番号、製造年月、制御部のソフトウェアのバージョン情報、カテゴリ情報、といった機器の固有情報が格納されている。
【００６４】
３０４は、パネルデータ格納部となるｄａｔａ  ＲＯＭ部であって、該ＶＴＲの動作、操作情報を、バスｓ１経由でＴＶ装置１へ表示するための、操作パネルデータが格納されている。
【００６５】
３０５は、ＶＴＲ制御部であって、バスｓ１、１３９４Ｉ／Ｆ部３０２を通して転送されるＶＴＲ制御情報に基づき、前述のＶＴＲ部３０１の制御を行うと共に、該制御状祝に応じた操作パネルなどの表示データを、ｄａｔａ３０４より読み出し、１３９４Ｉ／Ｆ部３０２、バスｓ１を通して、ＴＶ装置１へ送信する。
【００６６】
次に、本実施例で使用される操作パネルの構造とトラックパッドによる操作に関して説明する。
【００６７】
まず、本実施例で使用される操作パネルの構成について説明する。
【００６８】
図８に操作パネルの構成を示す。
【００６９】
操作パネルとして表示されるデータは、操作環境として表示される要素の集合である。すべての要素は、固有のＩＤを有する。
【００７０】
パネル要素は、操作パネルの要素の集合であり、該パネルに含まれる要素の要素ＩＤの列を保持する。
【００７１】
又、パネルの大きさデータ、パネル背景のビットマップデータ、等を保持することができる。
【００７２】
ボタン要素は、ユーザがリモコンによって押下（押す）、または開放（離す）操作ができる要素であり、押されたときと、離されたときに各々キートップに表示する二つのビットマップデータ、又その位置、サイズ、等を保持する。
【００７３】
そして、前記押下、開放操作が行われた際の処理情報を保持している。
【００７４】
アイコン要素は、ビットマップを表示し、ユーザが選択する事ができる要素であり、ビットマップデータ、位置、サイズ等を保持する。そして、前記選択操作が行われた際の処理情報を保持している。
【００７５】
テキスト要素は、タイトルや説明を文字列で表示する要素であり、位置、サイズと、ラベルとなるテキストデータ、背景色、フォント等を保持する事ができる。
【００７６】
尚、ここでいう、位置データとは各要素が属するパネル要素領域内での相対位置を画素単位での領域として指定したものである。
【００７７】
次にトラックパッド部による操作に関して説明する。
【００７８】
本実施例においては、トラックパッド部の接触位置と表示される操作パネルの対応要素を関連づけるために、図９のように、ＴＶ装置１、システム制御部１１０内に、操作パネル−トラックパッド位置情報テーブルが設けられている。
【００７９】
該テーブルは、トラックパッド部２０２の領域としての位置と、表示される操作パネル、及び各要素の対応を示すテーブルであり、後述するように、ユーザによってアクティブ（操作可能）になった操作パネルに対してその都度生成され、その後の操作によって、変更される。
【００８０】
ユーザがトラックパッド部２０２に対して行う、接触、押下、開放などの操作パネル−トラックパッド位置情報テーブルにより、後述のフォーカス処理、前記操作パネル内の対応要素の対応する処理が行われる。
【００８１】
次に、実施例の動作の流れについて説明する。
【００８２】
図１０は、図１のような構成のシステムにおいて、ＴＶ装置１と、ＶＴＲ装置３の電源が入り、ＴＶ画面（車と人が写っている）と、左下にそのチャンネルが、又、右下に、接続されているＶＴＲ装置３のアイコンが表示されている場合の説明図である。
【００８３】
但し、前記ＶＴＲ装置３のアイコンは、ＶＴＲ装置３の電源が切断されると表示されない。
【００８４】
まず、ＴＶ視聴者が、操作パネルの形状とトラックパッドの形状が相似であるＴＶチャンネルを切換える場合について説明する。
【００８５】
図２１は、該操作パネルの操作に関する動作を説明するための操作パネル制御ルーチンの動作のフローチャートである。
【００８６】
はじめに、ＴＶ視聴者がＴＶのチャンネルを変える場合について説明する。
【００８７】
ＴＶ視聴者は、まず、ＴＶ装置１のチャンネルを切換えるために、図５のリモコンのＴＶボタンを押下すると、リモコン装置２より、該ボタンに対応するキーデータが送信され、ＴＶ装置１内のリモコン受信部１０９で受信される。
【００８８】
ＴＶ装置１内のシステム制御部１１０は該キーデータを検出すると、メモリ部１１１より、ＴＶチャンネル切換えのための操作パネルを読み出し、画像制御部１０３へ出力し、表示器１０４に、現在のＴＶ画面と合成するように表示し、操作パネルをアクティブにする。
【００８９】
図１１が、前記ＴＶチャンネル切換え操作パネルが表示された場合の説明図である。
【００９０】
ＴＶ切換え操作パネルは、１から１２までの１２個のボタンを操作パネル上に縦３、横４列に並べたものになっている。各ボタンの位置情報もこれに対応したものになっている。
【００９１】
図１２は、該ＴＶチャンネル切換え操作パネルの構成を示している。
【００９２】
また、図５、または図６に示すリモコン装置のトラックパッドと相似な形状をしている。
【００９３】
図２１に示すフローチャートにおいて、システム制御部１１０で動作している操作パネル制御ルーチンは、操作パネルがアクティブになったかどうかを監視しており（ステップＳ２１０２）、前記ＴＶチャンネル切換え操作パネルがアクティブになったことを検出すると、まず、前記操作パネルの前記ボタンに対するトラックパッドの対応領域を、前記ＴＶチャンネル切換え操作パネル内の各要素の位置情報より、図１３ｓのように操作パネル全体に、すなわち、トラックパッド全体を縦３等分、横４等分に割り当てるように、領域Ａから領域Ｌとして、操作パネル−トラックパッド位置情報テーブルを生成する。これで、操作パネルのボタンとトラックパッドの位置を対応させることができる（ステップＳ２１０３）。
【００９４】
そして、操作パネル制御ルーチンはトラックパッドが指などで接触されたかどうかの監視をする（ステップＳ２１０４）。
【００９５】
ここで、ＴＶ視聴者が、トラックパッドに指で触れると、前記リモコン装置２より、トラックパッドの接触圧情報データと、位置情報データが、リモコン受信部１０９で受信され、システム制御部１１０の操作パネル制御ルーチンは、該位置情報データを基に、トラックパッドの接触位置を検出し、操作パネル−トラックパッド位置情報テーブルより、操作パネルの対応ボタンを確定する（ステップＳ２１０５）。
【００９６】
次に、接触位置に対応する操作パネルのボタンの色と文字表示を変化させ（以後、フォーカス処理と呼ぶ）、対応していることを、ＴＶ視聴者に認識させる。これによって、ＴＶ視聴者は、操作パネルのどこがフォーカスされているかどうかを確認できる（ステップＳ２１０６）。
【００９７】
この操作パネルのボタンの表示の変化は、トラックパッドから指を放すと元に戻る。
【００９８】
図１３ｓの図中所定の位置（位置ａ）に触れると図１３ａのように『３』がフォーカス処理され、位置ｂに示すように触れると図１３ｂのように『１０』がフォーカスされる。
【００９９】
次に、トラックパッド部におけるＴＶチャンネル切換え操作パネルの対応領域を、操作パネルの形状と相似の侭、トラックパッド部２０２内で最大になるように、トラックパッドに触れている位置によって再割り当てをさせる（ステップＳ２１０７）。
【０１００】
このＴＶチャンネル切換え操作パネルの場合、元々のＴＶ切換え操作パネルがトラックパッド部２０２と相似であるので、ステップＳ２１０３で割り当てた対応領域と変わらず、操作パネル−トラックパッド位置情報テーブルも変更せず、トラックパッド全面が操作パネルに対応することになる。
【０１０１】
この再割り当て処理は、トラックパッド部２０２に最初触れた時にのみ行われ、以後指を離さない限り、行わない。
【０１０２】
次に、制御ルーチンは、リモコン装置２から受信した接触圧情報、位置情報を監視し、触れている指が移動しているかどうか、押下圧変化があり、ＴＶチャンネル切換えボタンを押したかどうか、あるいは、指を離したかどうか、あるいは、又、元の位置で、その侭、触れているのかを検出する（ステップＳ２１０８）、（ステップＳ２１０９）、（ステップＳ２１１０）。
【０１０３】
指の位置が移動したと判断された場合は、位置情報より、トラックパッドの接触位置を検出する（ステップＳ２１１２）。
【０１０４】
そして、該位置が、トラックパッドに再割り当てされた、ＴＶ切換え操作パネルの操作領域内かどうかを操作パネル−トラックパッド位置情報テーブルにて判定し（ステップＳ２１１３）、操作領域外である場合は、操作パネルの再割り当てを行う（ステップＳ２１１４）。
【０１０５】
該ＴＶチャンネル切換え操作パネルは、前述した通り、トラックパッド全体に割り当てられているので、常に操作領域範囲内であるので、この動作は発生しない。
【０１０６】
操作領域範囲内の場合は、接触位置の対応ボタンを確定、フォーカス処理を行う。
【０１０７】
図１３ｃに示すように、トラックパッドに触れた侭、指を位置ｂから位置ｃへ移動させると、トラックパッド上での接触領域は、領域Ｊから領域Ｋを経て、領域Ｌへ移動する。すると、操作パネル−トラックパッド位置情報テーブルにより、操作パネルとの対応を判断し、『１０』にあるＴＶ切換え操作パネルのフォーカスを、『１１』を経て、図１３ｃに示すように『１２』にフォーカスする（ステップＳ２１１５）。
【０１０８】
該ＴＶチャンネル操作パネルの場合、トラックパッド部２０２と始めから相似であるので、操作パネルのフォーカスを移動させるのに、トラックパッドの指の移動量は上下、左右とも同じ移動量で良い。
【０１０９】
次に、押下圧変化があった場合、それが押し込みなのか、押し込んだものを離そうとしている途中なのかを判定し（ステップＳ２１１６）、フォーカスされているボタンを押したと判断されると、実行処理フラグがセットされているかどうかを判定する（ステップＳ２１１７）。
【０１１０】
処理フラグがセットされている場合は、対応ボタンの押下処理の処理命令は出されたものと判断し、ステップＳ２１０８へ戻り、リモコン装置２から受信した接触圧情報、位置情報の監視を続ける。
【０１１１】
処理フラグがセットされていなければ、まず、実行処理フラグをセットし（ステップＳ２１１８）、押し込まれたボタンに対応する処理はまだ未処理なので、該ボタンが押下され、処理が行われることをＴＶ視聴者に認識させるために、ある一定時間、ボタンの色と文字表示を更に変化させる（図１４では、押下した際、ボタンの輪郭に「ぎざぎざ」を付けた表示にしている）と共に、音声制御部１０５へ認識音を出力し、音を出し（ステップＳ２１１９）、対応する処理を行うように処理命令をシステム制御部１１０へ出す（ステップＳ２１２０）。
【０１１２】
その後、ステップＳ２１０８へ戻り、リモコン装置２から受信した接触圧情報、位置情報の監視を続ける。
【０１１３】
また、押下圧変化が、押し込んだものを戻したと判断された場合は、処理フラグをクリアし（ステップＳ２１２１）、ステップＳ２１０８へ戻り、リモコン装置２から受信した接触圧情報、位置情報の監視を続ける。
【０１１４】
一方、指を放したと判断した場合は（ステップＳ２１１０）、操作パネルのフォーカス処理を止め（ステップＳ２１１１）、ステップＳ２１０３へ戻り、トラックパッド全体を操作パネル領域として割り付ける。
【０１１５】
移動も、押下もせず、元の位置で触れていると判断した場合は、ステップＳ２１０８からの処理へ戻り、リモコン装置２から受信した接触圧情報、位置情報の監視を続ける。
【０１１６】
こうして、トラックパッドに指で触れ、所望のボタンヘ移動させ、押すことで、ＴＶのチャンネルを変えることができる。
【０１１７】
図１４は、図１３ｃでトラックパッドを押し、ＴＶのチャンネルがｃｈ１からｃｈ１２に変わった瞬間を示している。押下した際、ボタンの輪郭形状が、滑らかな円状から、ぎざぎざがついた輪郭に変化している。
【０１１８】
次に、操作パネルの形状がトラックパッドより、かなり横長なＶＴＲ装置３を操作する場合について説明する。
【０１１９】
ＴＶ視聴者は、まず、画面右下のＶＴＲ装置３のアイコンにより、ＶＴＲ装置３が接続されていることを認知し、ＶＴＲ装置３がＶＴＲ装置３の操作をするために、図５に示すリモコンのＶＴＲボタンを押下すると、リモコン装置２より、該ボタンに対応するキーデータが送信され、ＴＶ装置１内のリモコン受信部１０９で受信される。
【０１２０】
ＴＶ装置１内のシステム制御部１１０は該キーデータを検出すると、１３９４Ｉ／Ｆ部１０７を制御し、ＶＴＲ装置３へ、ＶＴＲ操作パネルを送信するように要求する。
【０１２１】
ＶＴＲ装置３はこれに応じて、操作パネルをＴＶ装置１へ送信する。
【０１２２】
ＴＶ装置１は、これを受信し、メモリ部１１１へ一時格納すると共に、画像制御部１０３へ出力し、表示器１０４に、現在のＴＶ画面と合成するように表示し、ＶＴＲ操作パネルをアクティブにする。
【０１２３】
図１５が、前記ＶＴＲ操作パネルが表示された場合の説明図である。
【０１２４】
ＶＴＲ操作パネルは、上下２つに分割されており、上部は、再生ボタンのみ、下部は、５分割され、録画、巻き戻し、停止、早送り、一時停止の５つのボタンからなり、トラックパッドと比べて横長の形状をしている。
【０１２５】
図１６にＶＴＲ操作パネルの構成を示す。
【０１２６】
ＶＴＲ操作パネル表示時においても、図２１に示す操作パネル制御ルーチンの動作のフローチャートに従った動作をする。
【０１２７】
まず、ＴＶ操作パネル時と同様、操作パネルがアクティブになったかどうかを監視しており（ステップＳ２１０２）、前記ＶＴＲ操作パネルがアクティブになったことを検出すると、操作パネルのデータより、まず、ＶＴＲ操作パネルのボタンに対するトラックパッドの対応領域を、図１７ｍのように、操作パネル全体に、すなわち、トラックパッド部を上下に縦２等分、左右は上段は分割なし、下段は５等分に分割し、それぞれにＶＴＲ操作パネルのボタンと対応させるように割り当てる。
【０１２８】
そして、図１７ｍのように、操作パネル−トラックパッド位置情報テーブルを生成する。
【０１２９】
操作パネル制御ルーチンはトラックパッドが接触されたかどうかの監視をする（ステップＳ２１０４）。
【０１３０】
そして、ＴＶチャンネル切換え時と同様、操作パネル制御ルーチンはトラックパッドが接触されたかどうかの監視をする（ステップＳ２１０４）。
【０１３１】
そして、ＴＶ視聴者が、トラックパッドに指で触れると、前記リモコン装置２より、トラックパッドの接触圧情報データと、位置情報データが、リモコン受信部１０９で受信され、システム制御部１１０の操作パネル制御ルーチンは、該位置情報データを基に、トラックパッドの接触位置を検出し、操作パネル−トラックパッド位置情報テーブルを参照し、ＶＴＲ操作パネルの対応ボタンを確定する（ステップＳ２１０５）。
【０１３２】
そして、対応ボタンのフォーカス処理を行う（ステップＳ２１０６）。
【０１３３】
図１７ｍで位置ｎに触れると図１７ｎのように『再生』ボタンがフォーカスされ、位置ｐに触れると『巻き戻し』ボタンがフォーカスされ、位置ｑに触れると『一時停止』ボタンが、フォーカスされる。
【０１３４】
次に、トラックパッドにおけるＴＶチャンネル切換え操作パネルの操作領域を、指が触れている位置に対応する操作ボタンの対応領域内に入るように、操作パネルの形状と相似の侭、トラックパッド内で最大になるように、トラックパッドに触れている位置によって再割り当てる（ステップＳ２１０７）。
【０１３５】
今説明している、ＶＴＲ操作パネルでは、トラックパッドに対し横長になっているので、操作パネルの操作領域としては、図１７ｍから、図１７ｎ、図１７ｐ、図１７ｑのように上下に圧縮された形状で割り当てられる。
【０１３６】
例えば、図１７ｍのように、最初、指が触れる前はトラックパッド全体が操作領域だったのに対し、位置ｎに触れると図１７ｎ、位置ｐに触れると図１７ｐ、位置ｑに触れると図１７ｑの斜線部分が操作パネルの操作領域となり、この際、操作パネル−トラックパッド位置情報テーブルが変更される。
【０１３７】
この再割り当て処理は、後述するように、指が操作パネルに割り当てた領域内から外の範囲に出ると再び行われる。
【０１３８】
次に、制御ルーチンは、リモコン装置２から受信した接触圧情報、位置情報を監視し、触れている指が移動しているかどうか、押下圧変化があり、ＶＴＲ操作ボタンを押したかどうか、あるいは、指を離したかどうか、あるいは、元の位置でその侭触れているのかを検出する（ステップＳ２１０８）、（ステップＳ２１０９）、（ステップＳ２１１０）。
【０１３９】
指の位置が移動したと判断された場合は、まず、位置情報より、トラックパッドの接触位置を検出する（ステップＳ２１１２）。
【０１４０】
ここで図１８のように、図１７ｐの位置ｐから、トラックパッドに触れた侭、指を図１８ｒのように、左の位置ｒへ移動させると、『巻き戻し』ボタンにあるＶＴＲ操作パネルのフォーカスは、図１８ｒのように『録画』ボタンに移動する。
【０１４１】
同様に、位置ｐから、トラックパッドに触れた侭、図１８ｓのように、上の位置ｓへ移動させると、『巻き戻し』ボタンにあるＶＴＲ操作パネルのフォーカスは、図１８ｓのように『再生』ボタンに移動する。
【０１４２】
この位置ｒと位置ｓへの移動において、ＶＴＲ操作パネルは、ステップＳ２
１０７において、表示と相似な形状を保った侭トラックパッドに再割り当てされており、操作パネル−トラックパッド位置情報テーブルも変更されているので、指を位置ｐから、左方向の位置ｒへ移動させる場合と、上方向の位置ｓへ移動させる場合での指の移動量は同じで済む。
【０１４３】
そして、該移動した位置が、前記ステップＳ２１０７で、ＶＴＲ操作パネルに割り当てられた操作領域内かどうかを判断し（ステップＳ２１１３）、操作領域内と判断された場合は、対応するＶＴＲ操作パネルのボタンのフォーカス処理を行う。
【０１４４】
指が、操作領域外に移動されたと判断された場合には、前述のステップＳ２１０７と同様の手法によって、ＶＴＲ操作パネルの操作領域の再割り当てが行われる（ステップＳ２１１４）。
【０１４５】
図１８において、位置ｐから、図１８ｔの位置ｔまで指を移動させた場合が、これにあたり、この場合、図１８ｔのように指が、最初ステップＳ２１０７で割り当てた領域から外れる直前にフォーカスされていた操作ボタンの領域全体を上に引きずるように、前述と同じように指の接触位置がフォーカスされた位置に再生ボタンの操作領域となるように、再割り当てを行う。
【０１４６】
この動作によって、ＴＶ視聴者が、トラックパッドを、『巻き戻し』ボタンから『再生』ボタンヘ移動させようとして、行き過ぎて操作領域外へ出てしまった場合にも対処している。
【０１４７】
この後、ＶＴＲ操作パネルの対応ボタンのフォーカス処理を行う（ステップＳ２１１５）。
【０１４８】
次に、押下圧変化があった場合、それが押し込みなのか、押し込んだものを戻したのかを判定し（ステップＳ２１１６）、フォーカスされているボタンを押したと判断されると、実行処理フラグがセットされているかどうかを判定する（ステップＳ２１１７）。
【０１４９】
処理フラグがセットされている場合は、対応ボタンの処理命令は出されたものと判断し、ステップＳ２１０８へ戻り、リモコン装置２から受信した接触圧情報、位置情報の監視を続ける。
【０１５０】
処理フラグがセットされていなければ、まず、実行処理フラグをセットし（ステップＳ２１１８）、押し込まれたボタンに対応する処理はまだ未処理なので、該ボタンが押下され、処理が行なわれることをＴＶ視聴者に認識させるために、ある一定時間、ボタンの色と文字表示を更に変化させる（押し込んだ直後では、押下した再生ボタンの輪郭にぎざぎざに表示している）と共に、音声制御部１０５へ認識音を出力し、音を出し（ステップＳ２１１９）、対応する処理を行うように処理命令をシステム制御部１１０へ出す（ステップＳ２１２０）。
【０１５１】
その後、ステップＳ２１０８へ戻り、リモコン装置２から受信した接触圧情報、位置情報の監視を続ける。
【０１５２】
また、押下圧変化が、押し込んだものを戻したと判断された場合は（ステップＳ２１１６）、処理フラグをクリアし（ステップＳ２１２１）、次いでステップＳ２１０８へ戻り、リモコン装置２から受信した接触圧情報、位置情報の監視を続ける。
【０１５３】
一方、指を離したと判断した場合は、操作パネルのフォーカス処理を止め（ステップＳ２１１１）、ステップＳ２１０３へ戻り、トラックパッド全体を操作パネル領域として割り付ける。
【０１５４】
移動も、押下もせず、元の位置で触れていると判断した場合は、ステップＳ２１０８からの処理へ戻り、リモコン装置２から受信した接触圧情報、位置情報の監視を続ける。
【０１５５】
こうして、トラックパッドに指で触れ、所望のボタンヘ移動させ、押すことで、ＴＶのチャンネルを変えることができる。
【０１５６】
このように動作をさせると、該ＶＴＲ操作パネルのような横長操作パネルであっても操作パネルボタンを指で移動させる場合、上下、左右で移動速度が変わらない。
【０１５７】
これが、図１７ｍのように、縦長に割り付けられた侭であると、左右方向は少しの動きでフォーカスが移動するのに対し、上下方向は、大きく移動しないとフォーカスが移動せず、表示されている操作パネルの形状からくる視覚的感覚と一致しない。
【０１５８】
また、ステップＳ２１０７で始めに割り当てた操作領域から指が外れてしまった場合、操作領域全体をシフトするように移動させることで操作できなくなることはない。
【０１５９】
（第２の実施例）
前述の第１の実施例で、図２０ｆのようなトラックパッドと相似でなく、且つ長方形でない場合の、操作パネルの対応領域について説明する。
【０１６０】
第１の実施例のような長方形の形状の操作パネルをトラックパッド上に対応させる場合、図１７ｎ、図１７ｑのように、指がトラックパッドの端までいっても、操作パネルの対応領域から外れることはない。しかし、図２０ｆのような、操作パネル形状の操作パネルがアクティブになると、最初、該操作パネルの操作対応領域は、図２０ｆのように操作パネル−トラックパッド位置情報テーブルが生成される。
【０１６１】
そして、位置ｇに触れると、図２０ｇのようにトラックパッド上で対応するように、操作パネル−トラックパッド位置情報テーブルが変更される。
【０１６２】
この後、指が、位置ｇから、位置ｈに移動したとすると図２０ｈごとく、相似形の侭の対応の対応領域では、位置ｈの指の位置は操作対応領域範囲外となってしまうため、図２０ｊのごとく、操作対応領域範囲外の領域ができないように、操作パネル−トラックパッド位置情報テーブルが変更される。
【０１６３】
（第３の実施例）
前述の実施例では、前述ＶＴＲ操作パネルのようなトラックパッドと相似でない操作パネルをトラックパッドの対応領域に割り当てるために、トラックパッドに最初に指が触れた位置と、その後の指の動きで操作パネル−トラックパッド位置情報テーブルを生成、変更することで行ったが、これは、前記システム制御部１１０によって、予め固定されたもであってもよい。
【０１６４】
図２２、図２３でこれを説明する。
【０１６５】
前述のシステム制御部１１０は、ＶＴＲ操作パネルがアクティブに、図２２は、前記ＶＴＲ操作パネルがアクティブになったことを検出すると、ＶＴＲ操作パネルのデータより、まず、ＶＴＲ操作パネルのボタンに対するトラックパッドの対応領域を、図２３ｕのように、前述ＶＴＲ操作パネルを相似形の侭、トラックパッドの上下を縦２等分、左右は上段については分割なし、下段については５等分に分割し、それぞれにＶＴＲ操作パネルのボタンと対応させるように割り当て、それ以外の領域を操作無効領域とする。
【０１６６】
そして、図２３ｕのように、操作パネル−トラックパッド位置情報テーブルを生成する。
【０１６７】
そして、図２２のごとく、ＶＴＲ操作パネルと伴に、トラックパッドのどこが操作可能なのかを示す表示を行う。
【０１６８】
ＴＶ視聴者は、該表示によって、トラックパッドの凡その操作可能範囲を認識することができる。
【０１６９】
ここで、ＴＶ視聴者が、図２３ｖのように、トラックパッドの位置ｖに接触したとすると、そこはトラックパッドの操作有効範囲で、該位置は、『再生』ボタンに対応する領域であるので、前述したのと同様、再生ボタンのフォーカス処理が行われる。
【０１７０】
一方、ＴＶ視聴者が、図２３ｗに指で触れた場合、該位置は、操作無効領域であるので、図２３ｗに示すごとく、警告、表示を発生させる。
【０１７１】
以上の実施例においては、表示装置は、ＴＶ装置内のものを使用しているが、これは、表示装置単体のものであっても構わない。
【０１７２】
（第４の実施例）
以下、図面を参照して第４の実施例について説明する。
【０１７３】
まず、ＴＶ視聴者（リモコンユーザ、ユーザと同じ）が、ＴＶチャンネルを切換え、操作パネルを操作する場合について説明する。
【０１７４】
図３１〜図３３は、第４の実施例における操作パネル制御手順を示すフローチャートである。
【０１７５】
リモコンユーザは、まず、ＴＶ装置１のチャンネルを切換えるために、図６のリモコンのＴＶボタンを押下すると、リモコン装置２より、該ボタンに対応するキーデータが送信され、ＴＶ装置１内のリモコン受信部１０９で受信される。
【０１７６】
ＴＶ装置１内のシステム制御部１１０は、該キーデータを検出すると、メモリ部１１１より、ＴＶチャンネル切換えのための操作パネルを読み出し、画像制御部１０３へ出力し、表示器１０４に、現在のＴＶ画面と合成するように表示し、操作パネルをアクティブにする。
【０１７７】
図２４は、図１のような構成のシステムにおいて、ＴＶ装置１と、ＶＴＲ装置３の電源が入り、ＴＶ画面（車と人が写っている）と、左下にそのチャンネルが、又、右下に、接続されているＶＴＲのアイコンが、前記ＴＶ切換え操作パネルと伴に表示されている図である。
【０１７８】
ＴＶ切換え操作パネルは、図２５（ａ）、（ｂ）、（ｃ）のごとく、１から１２までの１２個のボタンを操作パネル上に縦３列、横４列に並べたもので、縦横比は、前述トラックパッドのそれと同じになっている。
【０１７９】
図３１において、操作モード切換えルーチンでは、システム制御部１１０で動作している操作パネル制御ルーチンは、操作パネルがアクティブになったかどうかを監視しており（ステップＳ３１０２）、ＴＶチャンネル切換え操作パネルがアクティブになったことを検出すると、まず、前記操作パネルの前記ボタンに対するトラックパッドの対応領域を、前記ＴＶチャンネル切換え操作パネル内の各要素の位置情報より、図２５（ｂ）のように操作パネル全体に割り当て、図２５（ｃ）のごとく操作パネル−トラックパッド位置情報テーブルを生成する（ステップＳ３１０３）。
【０１８０】
次に操作パネル内のボタン数などから、操作パネル全体を割り当てた絶対位置モードの侭でよいか、スクロール併用モードがよいかを判定する（ステップＳ３１０４）。
【０１８１】
本実施例では、操作パネルが、縦４分割、横５分割以上しなければならない場合、スクロール併用モードにしている。ＴＶ切換え操作パネルは、横４分割、縦３分割であるので、絶対位置モード処理を行う（ステップＳ３１０６）。
【０１８２】
スクロール併用モードである場合は、スクロール併用モード処理を行う（ステップＳ３１０５）。
【０１８３】
図３２に示すように、絶対位置モード制御ルーチンでは、リモコンより送信されてくるトラックパッドの情報変化を監視している（ステップＳ３２０１）。
【０１８４】
ここで、リモコンユーザが、トラックパッドに指で触れると、前記リモコン装置２より、トラックパッドの接触圧情報データと、位置情報データが、リモコン受信部１０９で受信され、そして、システム制御部１１０の操作パネル制御ルーチンは、まず、それが、トラックパッドが指などで接触されたかどうかの検出をする（ステップＳ３２０２）。
【０１８５】
接触が確認されると、前記位置情報データを基に、トラックパッドの接触位置を検出する（ステップＳ３２０３）。
【０１８６】
次に、図２５（ｃ）の操作パネル−トラックパッド位置情報テーブルより、操作パネルの対応ボタンを確定し、該ボタンの色と文字表示を変化させ（以後、フォーカス処理と呼ぶ）、対応していることを、ＴＶ視聴者に認識させる。これによって、リモコンユーザは、操作パネルのどこがフォーカスされているかどうかを確認できる（ステップＳ３２０４）。
【０１８７】
図２５（ｂ）の位置１２に触れると図２４のように表示されている操作パネルの『１２』がフォーカス処理される。
【０１８８】
一方、接触状態にあった指が離されたと判断した場合は、それが、リモコンユーザが誤って操作パネルから指を離してしまった場合を考慮し、ある一定時間内に再接触があるかどうか（タイムアウト）を検出し（ステップＳ３２１１）、タイムアウトでない場合は、ステップＳ３２０２へ戻り、リモコン装置２から受信した接触圧情報、位置情報の監視を続ける。
【０１８９】
そして、ある一定時間以上、再接触がなかった場合は、タイムアウトと判断し、フォーカス処理を止め（ステップＳ３２１２）、図３１の操作モード切換えルーチンのステップＳ３１０１へ戻る（ステップＳ３２１３）。
【０１９０】
次に、制御ルーチンは、リモコン装置２から受信した接触圧情報を監視し、押下圧変化があり、ＴＶチャンネル切換えボタンを押したかどうかを検出する（ステップＳ３２０５）。
【０１９１】
押下圧変化があった場合、それが押し込みなのか、押し込んだものを離そうとしている途中なのかを判定し（ステップＳ３２２１）、フォーカスされているボタンを押したと判断されると、実行処理フラグがセットされているかどうかを判定する（ステップＳ３２２２）。
【０１９２】
処理フラグがセットされている場合は、対応ボタンの押下処理の処理命令は出されたものと判断し、ステップＳ３２０２へ戻り、リモコン装置２から受信した接触圧情報、位置情報の監視を続ける。
【０１９３】
処理フラグがセットされていなければ、まず、実行処理フラグをセットし（ステップＳ３２２３）、押し込まれたボタンに対応する処理はまだ未処理なので、該ボタンが押下され、処理が行わせることをＴＶ視聴者に認識させるために、ある一定時間、ボタンの色と文字表示を更に変化させ、音声制御部１０５へ認識音を出力し、音を出し（ステップＳ３２２４）、対応する処理を行うように処理命令をシステム制御部１１０へ出す（ステップＳ３２２５）。
【０１９４】
その後、ステップＳ３２０２へ戻り、リモコン装置２から受信した接触圧情報、位置情報の監視を続ける。
【０１９５】
また、押下圧変化が、押し込んだものを戻したと判断された場合は、処理フラグをクリアし（ステップＳ３２３１）、ステップＳ３２０２へ戻り、リモコン装置２から受信した接触圧情報、位置情報の監視を続ける。
【０１９６】
こうして、トラックパッドに指で触れ、所望のボタンヘ移動させ、押すことで、ＴＶのチャンネルを変えることができる。
【０１９７】
次に、図２６に示すような、縦５列、横１４〜１５列からなるキーボードパネルを表示し、文字などを入力する、所謂、仮想キーボードによる入力を行う場合について説明する。
【０１９８】
図２７にキーボード操作パネルの構成を示す。
【０１９９】
該キーボード操作パネル表示時においても、図３１の操作パネル制御ルーチンのフローチャートに従った動作をする。
【０２００】
図３１において、まず、ＴＶ操作パネル時と同様、操作パネルがアクティブになったかどうかを監視しており（ステップＳ３１０２）、前記キーボードパネルがアクティブになったことを検出すると、操作パネルのデータより、まず、該パネルのボタンに対するトラックパッドの対応領域を、縦５分割、横１４〜１５分割し、図２８（ｂ）のように割り当て、図２８（ｃ）のごとく操作パネル−トラックパッド位置情報テーブルを生成する。
【０２０１】
この際、キーボード操作パネルは横長であるので、図２８（ｂ）のように、操作無効領域（または操作無効範囲）９９ができる。
【０２０２】
次に、前述と同じように、キーボード操作パネルをトラックパッド全体に割り付けた侭でよいかを判定する（ステップＳ３１０４）。
【０２０３】
該キーボードパネルは、横が１４〜１５列あるので、スクロール併用モード処理を行う（ステップＳ３１０５）。
【０２０４】
図３３は、スクロール併用モードの操作パネル制御手順を示すフローチャートである。
【０２０５】
該スクロール併用モードでも、絶対位置モードと同様、システム制御部１１０内で、リモコン装置２より送信されてくるトラックパッドの情報変化を監視している（ステップＳ３３０１）。
【０２０６】
そして、絶対位置モードと同様、操作パネル制御ルーチンはトラックパッドが接触されたかどうかの監視をする（ステップＳ３３０２）。
【０２０７】
そして、リモコンユーザが、トラックパッドに指で触れると、前記リモコン装置２より、トラックパッドの接触圧情報データと、位置情報データが、リモコン受信部１０９で受信され、システム制御部１１０は、まず、それが、トラックパッドが指などで接触されたかどうかの検出をする（ステップＳ３３０２）。
【０２０８】
接触が確認されると、該位置情報データと、前述図３１のステップＳ３１０３で生成された操作パネル−トラックパッド位置情報テーブルを基に、トラックパッドの接触位置を検出し（ステップＳ３３０３）、該接触位置を基に、その周辺、横５〜６個、縦４個のキーをトラックパッド上に再割り当てし、更にその周辺にスクロールエリアの設定を行い、操作パネル−トラックパッド位置情報テーブルの変更を行う。
【０２０９】
この場合、図２９（ａ）のような場合、上下左右すべての方向に、キーが存在しているので、周辺すべてにスクロールエリアができるが、図３０（ｂ）、図２９（ｃ）のような端に位置する場合は、その方向にはスクロールエリアができない方向がある場合も存在する（ステップＳ３３０４）。
【０２１０】
そして、次に、変更された操作パネル−トラックパッド位置情報テーブルを参照し、キーボードパネルの対応ボタンを確定し、絶対位置モードと同様、対応ボタンのフォーカス処理を行う（ステップＳ３３０５）。
【０２１１】
そして、再び、リモコン装置２より送信されてくるトラックパッドの情報変化の監視を行う（ステップＳ３３０６）。
【０２１２】
そして、システム制御部１１０は、トラックパッドがまだ指で接触されているかどうかの検出をする（ステップＳ３３０７）。
【０２１３】
そして、接触状態にあった指が離されたと判断した場合は、それが、リモコンユーザが誤って操作パネルから指を離してしまった場合を考慮し、ある一定時間内に再接触があるかどうか（タイムアウト）を検出し（ステップＳ３３２１）、タイムアウトでない場合は、ステップＳ３３０６へ戻り、リモコン装置２から受信した接触圧情報、位置情報の監視を続ける。
【０２１４】
そして、ある一定時間以上、再接触がなかった場合は、タイムアウトと判断し、フォーカス処理を止め（ステップＳ３３２２）、次いで、ステップＳ３３２３にて図３１の操作モード切換えルーチンのステップＳ３１０１へ戻る。
【０２１５】
一方、接触が確認されると、該位置情報データと、ステップＳ３３０４で生成された操作パネル−トラックパッド位置情報テーブルを基に、トラックパッドの接触位置を検出する（ステップＳ３３０８）。
【０２１６】
次に、接触位置が、スクロールエリアにあるかどうかを判定し（ステップＳ３３０９）、スクロールモードであれば、今回の検出した指の位置と、前回までの指の位置より、指の移動方向を算出し、また、スクロールモードが続いている場合は、ある一定時間ごとに、トラックパッドに割り付けられているキーボード操作パネルのキーボタンの再割り当てを行い、操作パネル−トラックパッド位置情報テーブルを再変更する（ステップＳ３３３１）。
【０２１７】
そして、操作パネル−トラックパッド位置情報テーブルを基に、キーボードパネルの対応キーボタンを確定し、対応ボタンのフォーカス処理を行う（ステップＳ３３１０）。
【０２１８】
次に、スクロールエリアでない場合は、前記ステップＳ３３１０を経て、リモコン装置２から受信した接触圧情報を監視し、押下圧変化があり、操作パネルのキーボタンを押したかどうかを検出する（ステップＳ３３１１）。
【０２１９】
押下圧変化があった場合、それが押し込みなのか、押し込んだものを離そうとしている途中なのかを判定し（ステップＳ３３４１）、フォーカスされているボタンを押したと判断されると、実行処理フラグがセットされているかどうかを判定する（ステップＳ３３４２）。
【０２２０】
処理フラグがセットされている場合は、対応ボタンの押下処理の処理命令は出されたものと判断し、ステップＳ３３０６へ戻り、リモコン装置２から受信した接触圧情報、位置情報等のトラックパッドの変化を監視し続ける。
【０２２１】
処理フラグがセットされていなければ、まず、実行処理フラグをセットし（ステップＳ３３４３）、押し込まれたボタンに対応する処理はまだ未処理なので、該ボタンが押下され、処理が行われることをＴＶ視聴者に認識させるために、ある一定時間、ボタンの色と文字表示を更に変化させ、音声制御部１０５へ認識音を出力し、音を出し（ステップＳ３３４４）、対応する処理を行うように処理命令をシステム制御部１１０へ出す（ステップＳ３３４５）。
【０２２２】
その後、ステップＳ３３０６へ戻り、リモコン装置２から受信した接触圧情報、位置情報等のトラックパッドの変化を監視し続ける。
【０２２３】
また、押下圧変化が、押し込んだものを戻したと判断された場合は、処理フラグをクリアし（ステップＳ３３５１）、ステップＳ３３０６へ戻り、リモコン装置２から受信した接触圧情報、位置情報等のトラックパッドの変化を監視し続ける。
【０２２４】
こうして、トラックパッドに指で触れ、所望のボタンヘ移動させ、押すことで、キーボードの文字入力を行うことができる。
【０２２５】
図３０（ａ）、（ｂ）、（ｃ）、（ｄ）は、リモコンユーザが、キーボード操作パネルを使用し、『Ｔ』、『Ｏ』とローマ字入力したい場合の例を示す説明図である。
【０２２６】
まず、リモコンユーザは、図２８（ａ）で割り当てられたトラックパッドにおいて、トラックパッド上でキーボードの『Ｔ』とおぼしき位置に指で触れると、実は『Ｒ』であったので（図３０（ａ）参照）、前述図３３のステップＳ３３０１からステップＳ３３０５に従って、図３０（ａ）左図のように、表示されたキーボードパネルの『Ｒ』がフォーカス処理され、図３０（ａ）中央図のごとく、トラックパッドの再割り当てと、操作パネル−トラックパッド位置情報テーブルが図２８（ｃ）から図３０（ａ）右図のように変更される。
【０２２７】
そこで、リモコンユーザは、指を移動させると、前述図３３のステップＳ３３０６からステップＳ３３１１までを繰り返し、キーボードパネルのフォーカスが移動し、『Ｔ』が表示される（図３０（ｂ）参照）。
【０２２８】
ここで、リモコンユーザはトラックパッドを押し込むと、図３３のステップＳ３３１１において、押し込まれたことが検出され、ステップＳ３３４１からステップＳ３３４５に従って、『Ｔ』の入力が実行される。
【０２２９】
次に『Ｏ』を入力するために、指を更に右に移動させると、キーボードパネルのフォーカスは、『Ｙ』、『Ｕ』と変化する。この図３０（ｂ）の状態では、トラックパッドに割り付けられたキーボタンに『Ｏ』はないので、『Ｏ』はフォーカスされず、リモコンユーザは更に指を右に移動、一番右に指が移動したところで、スクロールエリアに入り、ステップＳ３３３１に従って、トラックパッドの再割り当てと操作パネル−トラックパッド位置情報テーブルの変更が図３０（ｃ）、図３０（ｄ）と、２度行われたところで、『Ｏ』がフォーカスされる。
【０２３０】
リモコンユーザは、この『Ｏ』がフォーカスされた時点で、指を少し左へ戻し（図３０（ｄ）参照）、『Ｏ』キーボタン上へ移動、又は、指をトラックパッドから一時的に離す動作によって、表示されているキーボードパネルのフォーカスは『Ｏ』で停止する。
【０２３１】
そしてトラックパッドの同じ場所を押し込み動作すると、前述同様、図３３のステップＳ３３１１において、押し込まれたことが検出され、ステップＳ３３４１からステップＳ３３４５に従って、『Ｏ』の入力が実行される。
【０２３２】
押し込み、離す、動作を行わないと、更にスクロールし、フォーカスは、『Ｐ』へ移動してしまうが、それに気づいた時点で、指を左へ移動させれば、容易にフォーカスを『Ｏ』へ戻すことができる。
【０２３３】
このように、トラックパッドヘ操作パネルを割り付けることでするとで、図２５と、図２８の操作パネルのようにボタン数の大きく異なる操作パネルであってもトラックパッド上での指の移動感度は大きく変えないようにして、トラックパッドヘ操作を行うことができる。
【０２３４】
これが、最初に操作パネル全体を割り付けられた侭であると、指の移動量に伴う操作感度が大きく変わり、特に図２８の操作パネルのような場合、キーボタン移動の感度が高くなり、使いづらいものとなる。
【０２３５】
（第５の実施例）
次に、ＴＶ装置１において、番組の選択や閲覧に使用される番組表（以下、ＥＰＧと略）を表示し、選択する場合について説明する。
【０２３６】
ＥＰＧデータは、前述のＴＶ装置１において、アンテナ４より、画像、音声情報と共に受信し、デコーダ部１０２において、分離され、メモリ部１１１へ格納される。
【０２３７】
該データは、図３４のように、日時情報、チャンネル情報、又、番組タイトル、ジャンル、出演者、内容といった番組情報が記述されたファイルである。
【０２３８】
該ＥＰＧデータは、図３５のような表の形で表示されるが、ＥＰＧデータの表示量は、ＴＶ画面の表示可能量より、大きいため、ＥＰＧデータ全体が一度に表示されることはなく、その一部を表示し、スクロールなど状況に応じて表示を更新してゆく。
【０２３９】
この際、表示のさせ方の種類に関しては、メニューキーを押下し、メニュー画面のなかで設定するが、本発明とは直接関係ないので、ここでは省略する。
【０２４０】
リモコンユーザは、まず、ＥＰＧパネルを表示するために、図６のリモコンのＥＰＧボタンを押下すると、リモコン装置２より、該ボタンに対応するキーデータが送信され、ＴＶ装置１内のリモコン受信部１０９で受信される。
【０２４１】
ＴＶ装置１内のシステム制御部１１０は該キーデータを検出すると、メモリ部１１１より、ＥＰＧデータのうち、表示に必要なデータを読み出し、ＥＰＧパネルデータを構築し、システム制御部１１０に格納すると共に、画像制御部１０３へ出力し、表示器１０４に、現在のＴＶ画面と合成するように表示し、ＥＰＧパネルをアクティブにする。
【０２４２】
図３６は、図３５の一部がＥＰＧパネルとして、ＴＶ装置１に表示された場合の説明図であり、図３７は、該ＥＰＧパネルの構成を示している。該ＥＰＧパネルは、操作対象となる番組単位ごとに、ＩＤを割り振り、その表示のサイズ、位置、表示データなどで構成されている。
【０２４３】
また、その他に、スクロール情報が入っている。該情報は、該ＥＰＧパネルが該パネルデータ以外にも表示できるデータがあることを示している。
【０２４４】
該ＥＰＧパネルの動作も図３１、図３３に基づいて行われる。
【０２４５】
第４の実施例と同様に、まず、ＥＰＧパネルがアクティブになると、前記ＥＰＧパネルがアクティブになったことを検出し、ＥＰＧパネル構成データより、まず、該パネルのＩＤに対するトラックパッドの対応領域を、図３６で表示されているＥＰＧパネル全体をトラックパッド全体に割り当て、操作パネル−トラックパッド位置情報テーブルを生成する。
【０２４６】
次に、前述図３１のステップＳ３１０４のように、ＥＰＧパネルをトラックパッド全体に割り付けた侭でよいかを判定する。このなかで、分割数が前述規定分割数より大きいことの他にＥＰＧパネルのように、表示されるべきデータの一部が表示パネルとなっており、他の部分を表示するために、スクロールを必要とする操作パネルである場合も判定しており、該ＥＰＧパネルはこの点からも、該スクロール併用モード処理を行う。
【０２４７】
指が、図３８（ａ）の位置に接触すると、図示のように、ＥＰＧパネルの『深夜映画１』がフォーカスされ、その周辺の太い黒枠で囲った部分が、絶対位置エリアに割り当てられ、その周辺にスクロールエリアとなるように割り当てられ、操作パネル−トラックパッド位置情報テーブルが変更される（図３３に示すステップＳ３３０１からステップＳ３３０５）。
【０２４８】
ここで、指を絶対位置エリア内で図３８（ｂ）のように上下左右に移動させると、それに応じて、表示されているＥＰＧパネルのフォーカスも、『歌謡ヒット』、『朝ワイド』、『お笑い』、『フットボール』へ変化する。
【０２４９】
ここで、指を下へ移動し、スクロールエリア内へはいると、第４の実施例と同様に絶対位置エリアは、図３９（ａ）のように変化し、フォーカスが『朝ワイド』から『おじゃま』へ移動すると共に、操作パネル−トラックパッド位置情報テーブルも図３９（ａ）に応じたものに変更される（図３３に示すステップＳ３３０６からステップＳ３３３１）。
【０２５０】
そして、指が更にスクロールエリアを接触し続けると、図３３のステップＳ３３０９において、これ以上、下にＥＰＧパネルデータが存在しないことを判断する。
【０２５１】
すると、ＥＰＧパネル内のスクロール情報を検出し、ＥＰＧパネルデータの更新を要求する。すると、これを検知したシステム制御部１１０は、ＥＰＧパネルデータを図４０（ａ）のように更新し、これに基づき、操作パネル−トラックパッド位置情報テーブルを変更する。
【０２５２】
この後、ステップＳ３３１０で該操作パネル−トラックパッド位置情報テーブルに基づいた番組ＩＤに対応する表示にフォーカス処理を行うと、図４０（ａ）のように、『おじゃま』から『バラエティ』、『昼ワイド』へと変化する。
【０２５３】
このようにすることで、ＥＰＧパネルのような全体を表示できない操作パネルに対しても本発明で対応できる。
【０２５４】
【発明の効果】
以上説明したように、本発明に係る表示装置によれば、直感的で、より使いやすい操作環境を提供することができる。
【図面の簡単な説明】
【図１】  第１の実施例における操作制御システムの要部構成を示すブロック図
【図２】  第１の実施例におけるＴＶ装置の構成を示すブロック図
【図３】  第１の実施例におけるリモコン装置の要部構成を示すブロック図
【図４】  第１の実施例におけるＶＴＲ装置の要部構成を示すブロック図
【図５】  実施例におけるリモコン装置の説明図（その１）
【図６】  実施例におけるリモコン装置の説明図（その２）
【図７】  実施例におけるトラックパッド部の構成を示す断面模式図
【図８】  実施例における操作パネルの構成を示す説明図
【図９】  実施例における操作パネル−トラックパッド位置情報テーブルの説明図
【図１０】  第１の実施例におけるＴＶ装置に画像と接続機器アイコンが表示された場合の説明図
【図１１】  第１の実施例におけるＴＶ装置にＴＶチャンネル切換え操作パネルが表示された場合の説明図
【図１２】  実施例におけるＴＶチャンネル切換え操作パネルの構成を示す説明図
【図１３】  第１の実施例におけるＴＶチャンネル切換え時の操作パネルの操作状況を示す説明図
【図１４】  第１の実施例におけるＴＶチャンネル切換え直後のＴＶ装置画面を示す説明図
【図１５】  第１の実施例におけるＴＶ装置にＶＴＲ操作時の操作パネルが表示された場合の説明図
【図１６】  第１の実施例におけるＶＴＲ操作パネルの構成を示す説明図
【図１７】  第１の実施例におけるＶＴＲ操作時の操作パネルの操作状況を示す説明図（その１）
【図１８】  第１の実施例におけるＶＴＲ操作時の操作パネルの操作状況を示す説明図（その２）
【図１９】  第１の実施例におけるＶＴＲ操作パネルの再生ボタン操作直後のＴＶ装置画面を示す説明図
【図２０】  第２の実施例における異型操作パネルと初期のトラックパッド部への割り当ての状況を示す説明図
【図２１】  実施例における操作パネル制御ルーチンの動作を示すフローチャート
【図２２】  第３の実施例におけるＴＶ装置にＶＴＲ操作時の操作パネルが表示された場合の説明図
【図２３】  第３の実施例におけるＶＴＲ操作状況を示す説明図
【図２４】  第４の実施例におけるＴＶ装置に画像と接続機器アイコンが表示された場合の説明図
【図２５】（ａ），（ｂ）、（ｃ）  第４の実施例におけるＴＶチャンネル切換え操作パネルをトラックパッドのレイアウトに対応させた場合の説明図
【図２６】  第４の実施例におけるＴＶ装置にキーボード操作パネルが表示された場合の説明図
【図２７】  第４の実施例におけるキーボード操作パネルの構成を示す説明図
【図２８】（ａ），（ｂ）、（ｃ）  第４の実施例におけるキーボード操作パネル全体をトラックパッドのレイアウトに対応させた場合の説明図
【図２９】（ａ），（ｂ）、（ｃ）  第４の実施例におけるキーボード操作パネルの操作状況を示す説明図（その１）
【図３０】（ａ），（ｂ）、（ｃ）、（ｄ）  第４の実施例におけるキーボード操作パネルの操作状況を示す説明図（その２）
【図３１】  第４の実施例における操作パネル制御手順を示すフローチャート（操作モード切換え）
【図３２】  第４の実施例における操作パネル制御手順を示すフローチャート（絶対位置モード）
【図３３】  第４の実施例における操作パネル制御手順を示すフローチャート（スクロール併用モード）
【図３４】  第５の実施例におけるＥＰＧデータの構成を示す説明図
【図３５】  第５の実施例におけるＥＰＧの表示例を示す説明図
【図３６】  第５の実施例におけるＥＰＧパネルがＴＶ装置に表示された場合の説明図
【図３７】  第５の実施例におけるＥＰＧパネルの構成を示す説明図
【図３８】（ａ），（ｂ）  第５の実施例におけるＥＰＧパネルの操作状況を示す説明図（その１）
【図３９】（ａ），（ｂ）  第５の実施例におけるＥＰＧパネルの操作状況を示す説明図（その２）
【図４０】（ａ），（ｂ）  第５の実施例におけるＥＰＧパネルの操作状況を示す説明図（その３）
【図４１】  従来例におけるリモコン装置の説明図
【符号の説明】
１  ＴＶ装置
２  リモコン装置
３  ＶＴＲ装置
４  アンテナ
１０１  チューナ部
１０２  デコーダ部
１０３  画像制御部
１０４  表示器
１０５  音声制御部
１０６  音声出力部
１０７  １３９４Ｉ／Ｆ部
１０８  モデム部
１０９  リモコン受信部
１１０  システム制御部
１１１  メモリ部
２０１  キーボタン部
２０２  トラックパッド部
２０３  データ送受信部
２０４  リモコン制御部
３０１  ＶＴＲ部
３０２  １３９４Ｉ／Ｆ部
３０３  Ｃｏｎｆｉｇｕｒａｔｉｏｎ  ＲＯＭ部
３０４  ｄａｔａ  ＲＯＭ部
３０５  ＶＴＲ制御部
【図１】
0004109902.tif 000002
【図２】
0004109902.tif 000003
【図３】
0004109902.tif 000004
【図４】
0004109902.tif 000005
【図５】
0004109902.tif 000006
【図６】
0004109902.tif 000007
【図７】
0004109902.tif 000008
【図８】
0004109902.tif 000009
【図９】
0004109902.tif 000010
【図１０】
0004109902.tif 000011
【図１１】
0004109902.tif 000012
【図１２】
0004109902.tif 000013
【図１３】
0004109902.tif 000014
【図１４】
0004109902.tif 000015
【図１５】
0004109902.tif 000016
【図１６】
0004109902.tif 000017
【図１７】
0004109902.tif 000018
【図１８】
0004109902.tif 000019
【図１９】
0004109902.tif 000020
【図２０】
0004109902.tif 000021
【図２１】
0004109902.tif 000022
【図２２】
0004109902.tif 000023
【図２３】
0004109902.tif 000024
【図２４】
0004109902.tif 000025
【図２５】
0004109902.tif 000026
【図２６】
0004109902.tif 000027
【図２７】
0004109902.tif 000028
【図２８】
0004109902.tif 000029
【図２９】
0004109902.tif 000030
【図３０】
0004109902.tif 000031
【図３１】
0004109902.tif 000032
【図３２】
0004109902.tif 000033
【図３３】
0004109902.tif 000034
【図３４】
0004109902.tif 000035
【図３５】
0004109902.tif 000036
【図３６】
0004109902.tif 000037
【図３７】
0004109902.tif 000038
【図３８】
0004109902.tif 000039
【図３９】
0004109902.tif 000040
【図４０】
0004109902.tif 000041
【図４１】
0004109902.tif 000042